(57)【特許請求の範囲】
【請求項１】
ほぼ水平に電車線路に沿って架設される少なくとも１条の吊架線と、この吊架線の下方にハンガを介して吊支される少なくとも１条のトロリ線とを含む電車線を支持するための装置であって、
支持構造物に支持される支持部材と、この支持部材に水平回転自在に枢支される根付け金具と、この根付け金具に基端が固着される碍子と、この碍子の先端に基端が固着され電車線路を横断する方向にほぼ水平に伸びる主パイプと、この主パイプに固着されるアーム支持金具と、このアーム支持金具に基端が所定範囲で水平旋回自在に支持され先端部でトロリ線を把持する曲線引金具と、前記主パイプに固着されこの主パイプの上部において前記吊架線をほぼ水平に支持する吊架線支持金具とを具備し、
前記支持部材は、ほぼ垂直に上下に離れて配置された一対のブラケットを具備し、
前記根付け金具は、前記支持部材のブラケットに水平回転自在に枢支される上下一対のイヤと前記碍子の基端を固着するための碍子取付板とを具備し、
前記碍子は、２本の柱状碍子から成り、それぞれ基端が前記根付け金具の碍子取付板に固着され、電車線路方向に並んで互いに平行に斜め上方へ伸び、
前記主パイプは、基端に前記２本の柱状碍子の先端に結合される接続板を有し、基端側において屈曲してほぼ水平に伸びることを特徴とする電車線支持装置。
【請求項２】
互いにほぼ水平かつ平行に電車線路に沿って架設される２条の吊架線と、これら吊架線の少なくとも一方の下方にハンガを介して吊支される少なくとも１条のトロリ線とを含む電車線を支持するための装置であって、
支持構造物に支持される支持部材と、この支持部材に水平回転自在に枢支される根付け金具と、この根付け金具に基端が固着される碍子と、この碍子の先端に基端が固着され電車線路を横断する方向にほぼ水平に伸びる主パイプと、この主パイプに固着されるアーム支持金具と、このアーム支持金具に基端が所定範囲で水平旋回自在に支持され先端部でトロリ線を把持する曲線引金具と、前記主パイプに固着されこの主パイプの上部において前記２条の吊架線をほぼ水平に支持する吊架線支持金具とを具備し、
前記支持部材は、ほぼ垂直に上下に離れて配置された一対のブラケットを具備し、
前記根付け金具は、前記支持部材のブラケットに水平回転自在に枢支される上下一対のイヤと前記碍子の基端を固着するための碍子取付板とを具備し、
前記碍子は、２本の柱状碍子から成り、それぞれ基端が前記根付け金具の碍子取付板に固着され、電車線路方向に並んで互いに平行に斜め上方へ伸び、
前記主パイプは、基端に前記２本の柱状碍子の先端に結合される接続板を有し、基端側において屈曲してほぼ水平に伸びることを特徴とする電車線支持装置。
【請求項３】
前記根付け金具は、前記イヤを突設させた支持板をさらに具備し、前記碍子取付板は、支持板上に上下方向に首振り自在に枢着され、かつ、碍子取付板には、アイボルトが枢着され、このアイボルトが支持板を緩く貫通してナットで固定されていることを特徴とする請求項１又は２に記載の電車線支持装置。
【請求項４】
前記アーム支持金具が前記主パイプの先端付近に固着され、前記吊架線支持金具が主パイプの中間部に固着され、アーム支持金具に基端を支持された前記曲線引金具が、主パイプに沿って吊架線支持金具の下方位置まで伸びるように取り付けられることを特徴とする請求項１又は２に記載の電車線支持装置。
【請求項５】
前記アーム支持金具が前記主パイプの中間付近に固着され、前記吊架線支持部材が主パイプの先端部に固着され、アーム支持金具に基端を支持された前記曲線引金具が、主パイプに沿って吊架線支持部材の下方位置まで伸びるように取り付けられることを特徴とする請求項１又は２に記載の電車線支持装置。
【請求項６】
前記吊架線支持部材が、前記主パイプに固着される本体と、この本体との間に吊架線を挟んでボルトで本体に締め付けられる把持金具とを有し、この把持金具における吊架線の延長方向の両端上縁部には、電車線検査装置の走行ローラが、円滑にこれを乗り越えることができるように斜面が形成されていることを特徴とする請求項１又は２に記載の電車線支持装置。
【請求項７】
前記吊架線の下方に２条の前記トロリ線を吊支して成る電車線を支持するための装置であって、
前記アーム支持金具は、前記主パイプから両側方へほぼ水平に延出し、先端の位置が、前記トロリ線の相互間隔対応距離だけ主パイプの延長方向に相互にずれた一対の翼部と、この翼部の先端部に設けられたブラケットとを具備し、
前記曲線引金具は、２本で構成され、基端において前記アーム支持金具のブラケットに夫々支持され、先端部において夫々前記トロリ線を把持することを特徴とする請求項１又は２に記載の電車線支持装置。
【発明の詳細な説明】
【０００１】
【発明の属する技術分野】
この発明は、電車線路の上方に架設されるき電線、吊架線、トロリ線を含む電車線を支持するための装置に関する。
【０００２】
【従来の技術】
電気鉄道に於ける電力供給用のき電線、吊架線、トロリ線等を含む電車線の検査を、これら電車線に沿って自走する電車線検査装置によって容易に実施できるように電車線を配置した架線構造が、特開平９−２２６４１７号の公報に記載されている。
これは、き電線、吊架線の２条をほぼ水平に互いに平行に架設し、吊架線の下方にハンガを介してトロリ線を吊支する構造である。なお、き電線の下方にもトロリ線を吊支する（従って、トロリ線が２条）ことができる。ここでは「き電線」、「吊架線」を「吊架線」と総称する。
電車線検査装置は、２条又は１条の吊架線の上を自走する走行部と、トロリ線の下方に配置される制御部と、走行部から延出し、トロリ線を回避してトロリ線の下方へ回り込むように伸び、制御部に連結されるアームとを具備する。
【０００３】
【発明が解決しようとする課題】
この発明は、構造が簡単で体裁が良く、また上記のような電車線検査装置が支障なく走行できるように、吊架線、トロリを支持できる電車線支持装置を提供することを目的としている。
【０００４】
【課題を解決するための手段】
本発明においては、上記課題を解決するため、支持構造物Ｓに支持される支持部材２と、この支持部材２に水平回転自在に枢支される根付け金具３と、この根付け金具３に基端が固着される碍子４と、この碍子４の先端に基端が固着され電車線路を横断する方向にほぼ水平に伸びる主パイプ５と、この主パイプ５に固着されるアーム支持金具６と、このアーム支持金具６に基端が所定範囲で水平旋回自在に支持され先端部でトロリ線Ｔ１（Ｔ２）を把持する曲線引金具７と、主パイプ５に固着されこの主パイプ５の上部において吊架線Ｆ１（Ｆ２）をほぼ水平に支持する吊架線支持金具８とを具備させて電車線支持装置１を構成した。
この電車線支持装置は、構造が単純で外観上の体裁が良好であって比較的安価に得られ、電車線検査装置の走行の支障となるような張り出し部がない。
【０００５】
【発明の実施の形態】
図面を参照して本発明の実施の形態を説明する。図１は電車線支持装置の正面図、図２は電車線支持装置の基部の拡大正面図、図３は電車線支持装置の先端側の拡大正面図、図４は電車線支持装置の基部の拡大平面図、図５は電車線支持装置の先端側の拡大平面図、図６は吊架線支持金具の図３におけるVI−VI矢視図、図７は他の実施形態の電車線検査装置の正面図である。
【０００６】
図１，図３、図５において、Ｆ１，Ｆ２は吊架線、Ｔ１，Ｔ２はトロリ線、１はこれらの電車線を下束、電柱、その他の支持構造物Ｓに支持するための支持装置である。吊架線、トロリ線は、何れも１条とされることがある。
【０００７】
支持装置１は、支持部材２、根付け金具３、碍子４、主パイプ５、アーム支持金具６、曲線引金具７及び吊架線支持金具８を具備する。支持部材２は支持構造物Ｓに支持される。根付け金具３は、支持部材２に水平回転自在に枢支される。碍子４は、根付け金具３に基端が固着される。主パイプ５は、基端において碍子４の先端に固着され、電車線路を横断する方向にほぼ水平に伸びる。アーム支持金具６は、主パイプ５に固着される。曲線引金具７は、基端においてアーム支持金具６に、所定範囲で水平旋回自在に支持され、先端部においてトロリ線Ｔ１，Ｔ２を把持する。吊架線支持金具８は、主パイプ５の上部において２条の吊架線Ｔ１，Ｔ２をほぼ水平に支持する。
【０００８】
支持部材２は、支持構造物Ｓに固着される上下２つの取付バンド９と、これに固着されたブラケット１０とを具備する。ブラケット１０，１０は、ほぼ垂直に上下に離れて配置される。
【０００９】
根付け金具３は、支持板１１と碍子取付板１２とを具備する。支持板１１は、一方の面に、上下一対のイヤ１１ａ，１１ｂを有し、反対側の他方の面にブラケット１１ｃを有する。イヤ１１ａ，１１ｂは、支持部材２のブラケット１０に水平回転自在に枢支され、支持板１１は他方の面を斜め上方に向けて取り付けられる。碍子取付板１２は、支持板１１に対向する一方の面の下部にイヤ１２ａを有し、このイヤ１２ａがブラケット１１ｃに枢着される。碍子取付板１２の一方の面の上部には、アイボルト１２ｂの基端が枢着され、このアイボルト１２ｂが支持板１１を緩く貫通してナット１２ｃで固定されている。従って、碍子取付板１２は、支持板１１に対して上下に首振り自在であり、ナット１２ｃの位置を調整して碍子取付板１２の取り付け角度を変更できる。
【００１０】
碍子４は、２本の柱状碍子４ａ、４ｂから成り、それぞれ基端が根付け金具３の取付板１２に固着される。柱状碍子４ａ、４ｂは、電車線路方向に並んで互いに平行に斜め上方へ伸び、先端において連結板４ｃで結合されている。
【００１１】
主パイプ５は、碍子４の連結板４ｃに結合される接続板５ａを基端に有し、基端側において屈曲してほぼ全体が水平に伸びる。
【００１２】
図１、図３，図５において、アーム支持金具６は、主パイプ５の先端付近に固着される。アーム支持金具６は、主パイプ５を把持する把持部６ａ、この把持部６ａから斜めに両側方へ延出する一対の翼部６ｂ，６ｃ及び各翼部６ｂ，６ｃの先端部に設けられたブラケット６ｄ，６ｅを有する。ブラケット６ｄとブラケット６ｅの位置は、主パイプ５の延長方向にトロリ線Ｔ１，Ｔ２の相互間隔分だけずれている。なおトロリ線が１条である場合には、ブラケットは１つで足りる。
【００１３】
各曲線引金具７の基端は、アーム支持金具６のブラケット６ｄ，６ｅに水平方向に所定角度首振り自在に緩く軸支される。曲線引金具７は、主パイプ５に沿って、吊架線支持金具８の下方位置まで伸び、先端部でトロリ線Ｔ１，Ｔ２を把持する。曲線引金具７は、図１において、右方向へトロリ線Ｔ１，Ｔ２を引いている。なおトロリ線が１条である場合には、曲線引金具７は１つで足りる。
【００１４】
図１、図３，図５，図６において、吊架線支持金具８は、主パイプ５の中間上部に固着される本体８ａと、この本体８ａとの間に吊架線Ｆ１，Ｆ２を挟んでボルトで本体８ａに締め付けられる一対の把持金具８ｂとを有する。把持金具８ｂにおける吊架線Ｆ１，Ｆ２の延長方向の両端上縁部には、電車線検査装置３１の走行ローラ３５が、円滑にこれを乗り越えることができるように斜面が形成されている。吊架線が１条である場合には、吊架線支持金具８の構造をこれに対応させる。
【００１５】
電車線検査装置３１は、２条の吊架線Ｆ１，Ｆ２の上を自走する走行部３２と、トロリ線Ｔ１，Ｔ２の下方に配置される制御部３３と、走行部３２から延出し、主パイプ５、曲線引金具７、トロリ線Ｔ１，Ｔ２等を回避してトロリ線の下方へ回り込むように伸び、制御部３３に連結されるアーム３４とを具備する。
【００１６】
図７には、トロリ線Ｔ１，Ｔ２を左方へ引き留める実施形態を示す。図１乃至図６に示す実施形態と同一の構成部には同一の符号を付して説明を省略する。この実施形態では、主パイプ５がトロリ線Ｔ１，Ｔ２の上方位置付近まで伸び、その先端部付近に吊架線支持金具８が取り付けられ、基端部付近にアーム支持金具６が、先の実施形態とは反対向きに取り付けられている。曲線引金具７は、ブラケット６ｄ，６ｅから主パイプ５に沿って、それの先端側の吊架線支持金具８の下方位置まで伸び、先端部でトロリ線Ｔ１，Ｔ２を把持する。曲線引金具７は、トロリ線Ｔ１，Ｔ２を図７において左方へ引いている。
【００１７】
図１に示す電車線支持装置１と図７に示す電車線支持装置１とを電車線路の延長方向に交互に設置すれば、トロリ線Ｔ１，Ｔ２をジグザグに支持して電車のパンタグラフの偏摩耗を防止することができる。何れの電車線支持装置１も電車線検査装置３１の走行に支障を来さない。
【００１８】
【発明の効果】
以上のように、本発明においては、支持構造物Ｓに支持される支持部材２と、この支持部材２に水平回転自在に枢支される根付け金具３と、この根付け金具３に基端が固着される碍子４と、この碍子４の先端に基端が固着され電車線路を横断する方向にほぼ水平に伸びる主パイプ５と、この主パイプ５に固着されるアーム支持金具６と、このアーム支持金具６に基端が所定範囲で水平旋回自在に支持され先端部でトロリ線Ｔ１（Ｔ２）を把持する曲線引金具７と、主パイプ５に固着されこの主パイプ５の上部において吊架線Ｆ１（Ｆ２）をほぼ水平にする支持する吊架線支持金具８とを具備させて電車線支持装置１を構成したため、構造が単純で体裁が良く比較的安価に得られ、邪魔な張り出し部がないので、電車線検査装置３１の走行に支障を来さないという効果を有する。
【図面の簡単な説明】
【図１】電車線支持装置の正面図である。
【図２】電車線支持装置の基部の拡大正面図である。
【図３】電車線支持装置の先端側の拡大正面図である。
【図４】電車線支持装置の基部の拡大平面図である。
【図５】電車線支持装置の先端側の拡大平面図である。
【図６】吊架線支持金具の図３におけるVI−VI矢視図である。
【図７】他の実施形態の電車線支持装置の正面図である。
【符号の説明】
１    電車線支持装置
２    支持部材
３    根付け金具
４    碍子
５    主パイプ
６    アーム支持金具
７    曲線引金具
８    吊架線支持金具
３１  電車線検査装置
Ｆ１  吊架線
Ｆ２  吊架線
Ｔ１  トロリ線
Ｔ２  トロリ線
【図１】
0003640298.tif 000002
【図２】
0003640298.tif 000003
【図３】
0003640298.tif 000004
【図４】
0003640298.tif 000005
【図５】
0003640298.tif 000006
【図６】
0003640298.tif 000007
【図７】
0003640298.tif 000008